(57)【要約】      （修正有）【課題】  雨戸の全閉時及び全開時にレールが露出することがなく意匠性の向上及び安全性の向上が図れると共に採光面積を広く確保することができる雨戸装置を提供する。【解決手段】  建物の開口部に設けられた窓２の室外側に配置される上枠３ａ、下枠３ｂ及び左右の縦枠３ｃからなる枠３と、少なくとも前記上枠３ａにスライドレール４を介して両開きにスライド開閉自在に設けられる雨戸５，５とを備え、前記スライドレール４は、上枠３ａに取付られた固定レール４ａと、該固定レール４ａに中間レール４ｂを介してスライド自在に支持された左右の可動レール４ｃとを有し、該可動レール４ｃが雨戸５の背面部に取付けられ、前記雨戸５が全開時に両縦枠３ｃより外側に突出した状態に保持されるように構成されている。【選択図】          図４
2005120710.tif 000002
【特許請求の範囲】
【請求項１】
建物の開口部に設けられた窓サッシの室外側に配置される上枠、下枠及び左右の縦枠からなる枠と、少なくとも前記上枠にスライドレールを介して両開きにスライド開閉自在に設けられる雨戸とを備え、前記スライドレールは、上枠に取付られた固定レールと、該固定レールに中間レールを介してスライド自在に支持された左右の可動レールとを有し、該可動レールが雨戸の背面部に取付けられ、前記雨戸が全開時に両縦枠より外側に突出した状態に保持されるように構成されていることを特徴とする雨戸装置。
【請求項２】
建物の開口部に設けられた窓サッシの室外側に配置される上枠、下枠及び左右の縦枠からなる枠と、少なくとも前記上枠にスライドレールを介して両開きにスライド開閉自在に設けられる雨戸とを備え、前記スライドレールは、上枠の略全長に取付けられた一本の固定レールと、該固定レールに中間レールを介してスライド自在に支持された左右の可動レールとを有し、該可動レールが雨戸の背面部に取付けられ、前記雨戸が全開時に両縦枠より外側に突出した状態に保持されるように構成されていることを特徴とする雨戸装置。
【発明の詳細な説明】
【技術分野】
【０００１】
本発明は、雨戸が両開きにスライド開閉する雨戸装置に関する。
【背景技術】
【０００２】
従来のこの種の雨戸装置としては、例えば実開昭５３−１６１５４９号公報に記載されているもの（前者）や特開平８−１５１８７１号公報に記載されているもの（後者）が知られている。前者の雨戸装置は、窓枠の上枠の外壁の屋外側に雨戸用上レールを設け、窓枠の下枠の下面に雨戸用下レールを設け、雨戸用上レールの両側延長線上に雨戸用延長上レールを設け、雨戸用下レールの両側延長線上に雨戸用延長下レールを設けている。雨戸の上框には雨戸用上レール及び雨戸用延長上レール上を走行する吊車が設けられ、雨戸の下框には雨戸用下レール及び雨戸用延長下レール上を案内されるガイド片が設けられている。
【０００３】
後者の雨戸装置は、窓の上方に設けられ、間隔を開けて対向した戸車を長手方向に複数有する上雨戸レールと、窓の下方に設けられる下雨戸レールと、一端の上下に突起を有し、上端に設けられた水平フランジが前記戸車に載置され、下端が下雨戸レールに嵌合されて左右にスライド自在に複数取付けられる雨戸本体と、雨戸本体の一端の上または下の突起を係止して雨戸本体を上下の雨戸レールの延長線上に突出した状態に固定する溝を有し、上下の雨戸レールの一端に各々設けられるエンドテーブルとを備えている。水平フランジは雨戸本体に設けた可動レールといえる。
【０００４】
【特許文献１】実開昭５３−１６１５４９号公報
【特許文献２】特開平８−１５１８７１号公報
【発明の開示】
【発明が解決しようとする課題】
【０００５】
しかしながら、前者の雨戸装置においては、雨戸用上レール及び雨戸用下レールの両側延長線上に雨戸用延長上レール及び雨戸用延長下レールを設けているため、これらの延長レールが雨戸の全閉時に露出して見栄えないし意匠性が悪いだけでなく、延長レールが突出していて危険であるという問題がある。また、後者の雨戸装置においては、上下の雨戸レールの両端部にそれぞれエンドテーブルが常時外部に露出した状態で配設されているため、意匠性が悪く、しかも、雨戸の全開時には雨戸本体の上端に設けた水平フランジ（可動レール）が露出するため、意匠性が更に悪くなるという問題がある。また、後者の雨戸装置においては、雨戸を両開きに広く開けるのに構造上の限界があり、採光面積ないし開口幅を広く確保することが難しいという問題もある。
【０００６】
本発明は、上記事情を考慮してなされたものであり、雨戸の全閉時及び全開時にレールが露出することがなく意匠性の向上及び安全性の向上が図れると共に採光面積を広く確保することができる雨戸装置を提供することを目的とする。
【課題を解決するための手段】
【０００７】
本発明のうち、請求項１の発明は、建物の開口部に設けられた窓サッシの室外側に配置される上枠、下枠及び左右の縦枠からなる枠と、少なくとも前記上枠にスライドレールを介して両開きにスライド開閉自在に設けられる雨戸とを備え、前記スライドレールは、上枠に取付られた固定レールと、該固定レールに中間レールを介してスライド自在に支持された左右の可動レールとを有し、該可動レールが雨戸の背面部に取付けられ、前記雨戸が全開時に両縦枠より外側に突出した状態に保持されるように構成されていることを特徴とする。
【０００８】
請求項２の発明は、建物の開口部に設けられた窓サッシの室外側に配置される上枠、下枠及び左右の縦枠からなる枠と、少なくとも前記上枠にスライドレールを介して両開きにスライド開閉自在に設けられる雨戸とを備え、前記スライドレールは、上枠の略全長に取付けられた一本の固定レールと、該固定レールに中間レールを介してスライド自在に支持された左右の可動レールとを有し、該可動レールが雨戸の背面部に取付けられ、前記雨戸が全開時に両縦枠より外側に突出した状態に保持されるように構成されていることを特徴とする。
【発明の効果】
【０００９】
請求項１の発明によれば、建物の開口部に設けられた窓サッシの室外側に配置される上枠、下枠及び左右の縦枠からなる枠と、少なくとも前記上枠にスライドレールを介して両開きにスライド開閉自在に設けられる雨戸とを備え、前記スライドレールは、上枠に取付られた固定レールと、該固定レールに中間レールを介してスライド自在に支持された左右の可動レールとを有し、該可動レールが雨戸の背面部に取付けられ、前記雨戸が全開時に両縦枠より外側に突出した状態に保持されるように構成されているため、雨戸の全閉時及び全開時にレールが露出することがなく意匠性の向上及び安全性の向上が図れると共に採光面積を広く確保することができる。
【００１０】
請求項２の発明によれば、建物の開口部に設けられた窓サッシの室外側に配置される上枠、下枠及び左右の縦枠からなる枠と、少なくとも前記上枠にスライドレールを介して両開きにスライド開閉自在に設けられる雨戸とを備え、前記スライドレールは、上枠の略全長に取付けられた一本の固定レールと、該固定レールに中間レールを介してスライド自在に支持された左右の可動レールとを有し、該可動レールが雨戸の背面部に取付けられ、前記雨戸が全開時に両縦枠より外側に突出した状態に保持されるように構成されているため、雨戸の全閉時及び全開時にレールが露出することがなく意匠性の向上及び安全性の向上が図れると共に採光面積を広く確保することができる。また、固定レールが上枠の略全長に取付けられる一本のレールからなるため、固定レールの脱着を伴うメンテナンスを行う場合、固定レールが左右に分割されているものと異なり、固定レールを左右バランスよく正確且つ容易に取付けることができると共に、雨戸の戸締り性ないし施錠性の向上が図れる。
【発明を実施するための最良の形態】
【００１１】
以下に、本発明を実施するための最良の形態について、添付図面を基に詳述する。図１は本発明の実施の形態である雨戸装置を示す全閉時の室外側正面図、図２は同雨戸装置の全開時の室外側正面図、図３は同雨戸装置の室内側斜視図、図４は図１の縦断面図、図５は図１の横断面図である。図６は図２の一部省略横断面図である。
【００１２】
これらの図において、１は雨戸装置で、図示例の雨戸装置はユニット化された鎧戸セットとして形成されている。この雨戸装置１は、建物の開口部に設けられた窓２の室外側に配置される上枠３ａ、下枠３ｂ及び左右の縦枠３ｃ，３ｃからなる枠３と、少なくとも前記上枠３ａにスライドレール４を介して両開きにスライド開閉自在に設けられる雨戸（例えば鎧戸、戸体ともいう。）５，５とを備えている。前記窓２としては、例えば引違い窓サッシが好適である。この引違い窓サッシは、上枠６ａ、下枠６ｂ及び左右の縦枠６ｃ，６ｄからなるサッシ枠（窓枠）６と、このサッシ枠６内に引違いにスライド開閉自在に設けられた内外の障子７，８とを備えている。特に、図示例の窓サッシ（２）は、左右の縦枠６ｃ，６ｄの室外面に図示しない縦枠カバー材を着脱自在に備えており、雨戸装置１を取付ける場合、前記縦枠カバー材が取外され、左右の縦枠６ｃ，６ｄの室外側に雨戸装置１の左右の縦枠３ｃ，３ｃの室内側が当接配置されるようになっている。なお、９は開口部の室内側に設けられた額縁である。
【００１３】
雨戸装置１の枠３を構成する上枠３ａ、下枠３ｂ及び左右の縦枠３ｃ，３ｃは、例えばアルミ押出形材からなっている。枠３は、上枠３ａと下枠３ｂの両端部相互間に縦枠３ｃ，３ｃを挟み込んでネジ止めにより組み立ててなり、上枠３ａ及び下枠３ｂの両端部が露出する横通し組立構造が採用されている。上枠３ａ及び下枠３ｂの両端部には端部キャップ１０ａ，１０ｂが取付けられる（図３参照）。前記枠３の上枠３ａ及び下枠３ｂが建物の躯体の外壁に固着具例えばネジ１１で固定される。上枠３ａの室外面と、下枠３ｂの室外面とには、ネジ１１を隠すため及び装飾用として、例えばアルミ押出形材からなる上枠カバー材１２ａと、下枠化粧カバー材１２ｂとがそれぞれネジ１３で着脱自在に取付けられる。各雨戸（戸体）５は、上框１４ａ、下框１４ｂ及び左右の縦框である合掌框１４ｃ，１４ｄと戸先框１４ｅからなる框組１４内に波状ないし鎧状の金属プレート１５を組込んでなる。
【００１４】
前記スライドレール４は、上枠３ａに設けられた固定レール４ａと、該固定レール４ａに中間レール４ｂを介してスライド自在に支持された左右の可動レール４ｃとを有し、該可動レール４ｃが雨戸５の背面部、すなわち上框１４ａの背面部（室内面）に設けられている。上枠３ａは、上枠カバー材１２ａを取付けた状態で横断面略逆Ｕ字状に形成されており、その下向きの凹溝１６内の室外面に固定レール４ａがネジ１７で着脱自在に取付けられている。前記雨戸５の上框１４ａの室内面に対して前記可動レール４ｃがネジ１８で取付けられている。上枠３ａに対して上枠カバー材１２ａは、凹溝１６側からネジ１３で着脱自在に取付けられている。スライドレール４により前記雨戸５は全開時に両縦枠３ｃより外側に突出した状態に保持されるように構成されている。
【００１５】
図７はスライドレールを示す図で、（ａ）は横断面図、（ｂ）は全閉時の右半分の縦断面図、（ｃ）は全開時の右側部分の縦断面図である。固定レール４ａは、上枠３ａの略全長に対応する長さの一本のレールからなっている。中間レール４ｂと可動レール４ｃは、それぞれ固定レール４ａの略半分の長さとされる。固定レール４ａと可動レール４ｃは、共に室内外方向の寸法を抑えた扁平形の横断面略Ｃ字状に形成され、内側（内部）に中間レール４ｂを挟み込む（覆い包む）ように相対向して配置されている。中間レール４ｂには固定レール４ａの上下の溝１９と、可動レール４ｃの上下の溝１９にそれぞれ対向する４つの溝２０が形成されており、各対向する溝１９，２０間にはボールベアリングとしてのボール（鋼球）２１が複数個ずつ設けられている。固定レール側には、固定レール側の上下のボール２１を固定レール４ａの長手方向に所定の間隔で回転自在に保持する固定レール側のボールリテーナー２２がレール長手方向に移動自在に設けられている。可動レール側には、可動レール側の上下のボール２１を可動レール４ｂの長手方向に所定の間隔で回転自在に保持する可動レール側のボールリテーナー２３がレール長手方向に移動自在に設けられている。
【００１６】
可動レール４ｃの伸張時（雨戸の全開時）にその最大伸張位置を規定するために、可動レール４ｃの後端部（収縮側）には可動レール側のボールリテーナー２３の後端部に当接して可動レール４ｃの伸張方向への移動を停止させる第１ストッパー２４が設けられ、中間レール４ｂの先端部（伸張側）には可動レール側のボールリテーナー２３の先端部に当接して当該ボールリテーナー２３の伸張方向への移動を停止させる第２ストッパー２５が設けられている。また、中間レール４ｂの後端（収縮側）には固定レール側のボールリテーナー２２の後端部に当接して中間レール４ｂの伸張方向への移動を停止させる第３ストッパー２６が設けられ、固定レール４ａの先端部（伸張側）には固定レール側のボールリテーナー２２の先端部に当接して当該ボールリテーナー２２の伸張方向への移動を停止させる第４ストッパー２７が設けられている。
【００１７】
なお、可動レール４ｃの収縮時（雨戸の全閉時）には、左右の可動レール４ｃ同士が当接して収縮方向への移動が停止されるようになっている。雨戸５の上部である上框１４ａには、スライドレール４の上部、特に雨戸全開時に上枠３ａの外側方へ突出される中間レール４ｂ及び可動レール４ｃの上部を覆う覆い部（雨避け）４８が設けられ、スライドレール４のボールベアリングに注入された潤滑材例えばグリースが雨で洗い流されるのを防止している。
【００１８】
雨戸装置１の下枠３ｂは、雨戸５の下部を収容する凹部２８が形成されている。この凹部２８は室外側及び左右両端が開放されている。雨戸５の下部を案内するために、前記下枠３ｂにもスライドレールが設けられていても良いが、構造の簡素化及びコストの低減を図るために、雨戸５の下部背面部である下框１４ｂの室内面には横断面逆Ｌ字状で垂下したガイド板部２９が長手方向に沿って設けられ、下枠３ｂには前記ガイド板部２９を案内する上向きに開口したガイド溝３０が長手方向に沿って設けられている。ガイド溝３０にはごみの侵入を防止するモヘア３１が設けられている。また、ガイド溝３０内の長手方向両端部には雨戸５の振れ（揺動）すなわちガイド板部２９の室内外方向への振れを抑制する樹脂製の振れ止め部材３２が嵌合されて設けられている。
【００１９】
前記上枠３ａには左右の雨戸５の開閉を連動させる連動機構３３が設けられている。この連動機構３３は、一端が一方の雨戸５の合掌框１４ｃ側に、他端が他方の雨戸５の合掌框１４ｄ側にそれぞれ止め具（図示省略）を介して止着された左右一対のワイヤ３４、３４と、上枠３ａの左右両端部に配設されて各ワイヤ３４の中間部を巻き掛けた滑車３５，３５とから主に構成されている。滑車３５はワイヤ３４の張力を調整できるように上枠３ａの凹溝１６内の上方にブラケット３６と調整ネジ３７を介してスライド調整可能に設けられている。
【００２０】
具体的には、滑車３５は滑車枠３８に水平回転自在に軸支され、この滑車枠３８が上枠３ａの凹溝１６内の上方にブラケット３６を介して左右方向に移動自在に支持されると共にブラケット３６に対して調整ネジ３７により左右方向（雨戸の開閉方向）にスライド調整可能に設けられている。このように雨戸装置１は左右の雨戸５，５の開閉動作を連動させる連動機構３３を備えているため、引違い窓サッシ２の他方の障子７の室内側が家具で塞がっていて、当該障子７を開けて当該障子側の雨戸５を開閉操作することができない場合でも、一方の障子８を開けて当該障子側の雨戸５を開閉操作するだけで、これと連動して他方の雨戸５も開閉することができる。
【００２１】
雨戸全閉時の耐風圧性の向上（風の巻き込みによる雨戸のガタツキの防止）、光漏れの防止及び防犯性の向上を図るために、前記縦枠３ｃと前記雨戸５の背面部とには雨戸５の全閉時に互いに係合して両者間の隙間を覆う全閉時用返し部４０ａ，４０ｂが設けられている。図示例では、縦枠３ｃの室外面には外向きに突出した横断面略Ｌ字状の縦枠側全閉時用返し部４０ａが形成され、雨戸５の戸先框１４ｅの室内面には前記縦枠側全閉時用返し部４０ａに係合するように内向きに突出した横断面略Ｌ字状の雨戸側全閉時用返し部４０ｂが形成されている。
【００２２】
また、雨戸全開時の耐風圧性の向上を図るために、前記縦枠３ｃと前記雨戸５の背面部とには雨戸５の全開時に互いに係合して両者間の隙間を覆う全開時用返し部４１ａ，４１ｂが設けられている。図示例では、縦枠側全閉時用返し部４０ａの室外面には内向きに突出した横断面略Ｌ字状の縦枠側全開時用返し部４１ａが形成され、雨戸５の合掌框１４ｃ，１４ｄの室内面には前記縦枠側全開時用返し部４１ａに係合するように外向きに突出した横断面略Ｌ字状の雨戸側全開時用返し部４１ｂが形成されている。全閉時用返し部４０ａ，４０ｂ及び全開時用返し部４１ａ，４１ｂの先端部には互いに係合し易いようにテーパーが設けられていることが好ましい。
【００２３】
図８は錠装置の作動を説明する図で、（ａ）は雨戸閉移動時の部分的横断面図、（ｂ）は同室内側正面図である。図９は錠装置の作動を説明する図で、（ａ）は雨戸全閉時の部分的横断面図、（ｂ）は同室内側正面図、（ｃ）は施錠時の部分的横断面図、（ｄ）は同室内側正面図である。左右の雨戸５，５における一方の合掌框１４ｃの室内面にはその高さ方向略中央部に錠装置である鎌錠４２が設けられ、他方の合掌框１４ｄには施錠時に鎌錠４２から回動しながら突出する円弧状の鎌形ボルト４３を引っ掛けるための受座４４が設けられている。鎌錠４２の室内面には施解錠用の操作部４５が設けられ、この操作部４５を下方に動かすと施錠され、上方に動かすと解錠されるようになっている。
【００２４】
少なくとも一方の合掌框例えば１４ｄには全閉時の合掌框１４ｃ、１４ｄ間をシールする止水用のパッキン４６が設けられているため、雨戸の全閉時にパッキン４６の反発力で合掌框１４ｃ、１４ｄ間に隙間が発生して、鎌錠４２が空掛け（鎌形ボルトが施錠位置にあるが受座には引っ掛かっていない非施錠状態）になる恐れがある。そこで、この空掛けを防止して防犯性の向上を図るために、前記鎌錠４２には雨戸の全閉時に合掌框１４ｃ、１４ｄ同士を引寄せることにより他方の合掌框１４ｄにより押される押ボタン４７が設けられ、この押ボタン４７が突出している状態では操作部４５の施錠操作を行うことができず、押ボタン４７が押されている状態のときのみに操作部４５の施錠操作が行えるようになっている。また、前記鎌錠４２は施錠時に円弧状の鎌形ボルト４３を受座４４に引っ掛けながら他方の合掌框１４ｄを鎌錠４２側に引寄せる機能を有している。
【００２５】
以上の構成からなる雨戸装置１によれば、建物の開口部に設けられた窓２の室外側に配置される上枠３ａ、下枠３ｂ及び左右の縦枠３ｃからなる枠３と、少なくとも前記上枠３ａにスライドレール４を介して両開きにスライド開閉自在に設けられる雨戸５とを備え、前記スライドレール４は、上枠３ａに設けられた固定レール４ａと、該固定レール４ａに中間レール４ｂを介してスライド自在に支持された左右の可動レール４ｃとを有し、該可動レール４ｃが雨戸５の背面部に設けられ、前記雨戸５が全開時に両縦枠３ｃより外側に突出した状態に保持されるように構成されているため、全閉時及び全開時にレール４ａ，４ｃが室外側に露出することがなく、意匠性の向上及び安全性の向上が図れる。
【００２６】
特に、前記可動レール４ｃが固定レール４ａに中間レール４ｂを介してスライド自在に支持されているため、雨戸５のスライド移動量すなわち開口幅を多くとることができ、採光面積を広く確保することができる。更に、前記固定レール４ａが上枠３ａの略全長に取付けられる一本のレールからなるため、固定レール４ａの脱着を伴うメンテナンスを行う場合、固定レール４ａが左右に分割されているものと異なり、固定レール４ａを左右バランスよく正確且つ容易に取付けることができ、左右の雨戸５をバランスよく支持することができて雨戸の戸締り性ないし施錠性の向上が図れる。
【００２７】
また、前記縦枠３ｃと前記雨戸５の背面部とには雨戸５の全閉時に互いに係合して隙間を覆う全閉時用返し部４０ａ，４０ｂが設けられているため、風の巻き込みによる雨戸５のバタツキを抑制することができ、雨戸５の全閉時における耐風圧性の向上が図れる。また、縦枠３ｃと雨戸５の間の隙間が覆われているため、光漏れを防止できると共に、隙間からバール等を挿入して錠装置（鎌錠）４２が解錠されたり破壊される恐れがなく、防犯性の向上が図れる。更に、前記縦枠３ｃと前記雨戸５の背面部とには雨戸５の全開時に互いに係合して隙間を覆う全開時用返し部４１ａ，４１ｂが設けられているため、雨戸５の全開時における耐風圧性の向上が図れる。
【００２８】
以上、本発明の実施の形態ないし実施例を図面により詳述してきたが、本発明は前記実施の形態ないし実施例に限定されるものではなく、本発明の要旨を逸脱しない範囲での種々の設計変更等が可能である。例えば、前記実施の形態では雨戸装置は窓とは別体でユニット化されているが、窓と一体に形成されていても良い。スライドレールの円滑な動きを確保するためにボールベアリングが採用されているが、ボールベアリングに代えて車輪、ローラ等を採用しても良い。
【図面の簡単な説明】
【００２９】
【図１】本発明の実施の形態である雨戸装置を示す全閉時の室外側正面図である。
【図２】同雨戸装置の全開時の室外側正面図である。
【図３】同雨戸装置の室内側斜視図である。
【図４】図１の縦断面図である。
【図５】図１の横断面図である。
【図６】図２の一部省略横断面図である。
【図７】スライドレールを示す図で、（ａ）は横断面図、（ｂ）は全閉時の右半分の縦断面図、（ｃ）は全開時の右側部分の縦断面図である。
【図８】錠装置の作動を説明する図で、（ａ）は雨戸閉移動時の部分的横断面図、（ｂ）は同室内側正面図である。
【図９】錠装置の作動を説明する図で、（ａ）は雨戸全閉時の部分的横断面図、（ｂ）は同室内側正面図、（ｃ）は施錠時の部分的横断面図、（ｄ）は同室内側正面図である。
【符号の説明】
【００３０】
１  雨戸装置
２  窓
３  枠
３ａ  上枠
３ｂ  下枠
３ｃ  縦枠
４  スライドレール
４ａ  固定レール
４ｂ  中間レール
４ｃ  可動レール
５  雨戸
【図１】
2005120710.tif 000003
【図２】
2005120710.tif 000004
【図３】
2005120710.tif 000005
【図４】
2005120710.tif 000006
【図５】
2005120710.tif 000007
【図６】
2005120710.tif 000008
【図７】
2005120710.tif 000009
【図８】
2005120710.tif 000010
【図９】
2005120710.tif 000011